【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
通信装置と別の通信装置との間の無線通信に適している前記通信装置であって、
前記通信装置と前記他の通信装置との間で直接通信をセットアップして、前記通信装置と前記他の通信装置との間で直接的にメッセージを交換し、前記メッセージは、前記通信装置を識別するための媒体アクセス制御（ＭＡＣ）識別子および前記他の通信装置を識別するためのＭＡＣ識別子を含み、
送信電力情報を受信するために、要求メッセージを前記他の通信装置へ送信し、
前記要求メッセージに応答して作られ、および、報告メッセージを送信するために使用される送信電力情報のインジケーションを含む、前記報告メッセージを、前記他の通信装置から受信し、
前記送信電力情報の前記インジケーションに従って、前記通信装置の送信電力が最適な送信電力と類似するように、前記通信装置の前記最適な送信電力を、前記他の通信装置との通信に対して動的に適合させる
ように構成されたコントローラを備えたことを特徴とする通信装置。
【請求項２】
通信装置と別の通信装置との間の無線通信に適している前記通信装置であって、
送信電力情報を受信するために、要求メッセージを前記他の通信装置へ送信し、前記要求メッセージは、前記他の通信装置を一意的に識別する識別情報を含み、
前記要求メッセージに応答して作られ、および、前記他の通信装置を一意的に識別する識別情報を含む、報告メッセージを、前記他の通信装置から受信し、
前記通信装置の送信電力を、前記送信電力情報に基づいて制御し、および、最適な送信電力を、複数の一意的に識別された他の通信装置の各々に対して動的に適合させる
ように構成されたコントローラを備えたことを特徴とする通信装置。
【請求項３】
通信装置と別の通信装置との間の無線通信に適している前記通信装置であって、
前記通信装置と前記他の通信装置との間で直接通信をセットアップして、前記通信装置と前記他の通信装置との間で直接的にメッセージを交換し、前記メッセージは、前記通信装置を識別するための媒体アクセス制御（ＭＡＣ）識別子および前記他の通信装置を識別するためのＭＡＣ識別子を含み、
前記通信装置が通信チャネルにおいて送信することができる最大送信電力のインジケーションを含む、無線ネットワークリンク情報を、アクセスポイントから受信し、
要求メッセージを、前記他の通信装置へ、前記最大送信電力よりも低い送信電力レベルを使用して送信し、
報告メッセージを送信するために使用される送信電力のインジケーションを含む、前記報告メッセージを、前記他の通信装置から受信し、
前記通信装置の前記送信電力を、前記送信電力の前記インジケーションに基づいて適合させる
ように構成されたコントローラを備えたことを特徴とする通信装置。
【請求項４】
通信装置と別の通信装置との間の無線通信のための通信方法であって、
前記通信装置と前記他の通信装置との間で直接通信をセットアップして、前記通信装置と前記他の通信装置との間で直接的にメッセージを交換するステップであって、前記メッセージは、前記通信装置を識別するための媒体アクセス制御（ＭＡＣ）識別子および前記他の通信装置を識別するためのＭＡＣ識別子を含む、ステップと、
送信電力情報を受信するために、要求メッセージを、前記通信装置から前記他の通信装置へ送信するステップと、
前記要求メッセージに応答して作られ、および、報告メッセージを送信するために使用される送信電力情報のインジケーションを含む、前記報告メッセージを、前記他の通信装置から、前記通信装置において受信するステップと、
前記送信電力情報の前記インジケーションに従って、前記通信装置の送信電力が最適な送信電力と類似するように、前記通信装置の前記最適な送信電力を、前記他の通信装置との通信に対して動的に適合させるステップと
を含むことを特徴とする方法。
【請求項５】
通信装置と別の通信装置との間の無線通信のための通信方法であって、
送信電力情報を受信するために、要求メッセージを、前記通信装置から前記他の通信装置へ送信するステップであって、前記要求メッセージは、前記他の通信装置を一意的に識別する識別情報を含む、ステップと、
前記要求メッセージに応答して作られ、および、前記他の通信装置を一意的に識別する識別情報を含む、報告メッセージを、前記他の通信装置から、前記通信装置において受信するステップと、
前記通信装置の送信電力を、前記送信電力情報に基づいて制御し、および、最適な送信電力を、複数の一意的に識別された他の通信装置の各々に対して動的に適合させるステップと
を含むことを特徴とする方法。
【請求項６】
通信装置と別の通信装置との間の無線通信のための通信方法であって、
前記通信装置と前記他の通信装置との間で直接通信をセットアップして、前記通信装置と前記他の通信装置との間で直接的にメッセージを交換するステップであって、前記メッセージは、前記通信装置を識別するための媒体アクセス制御（ＭＡＣ）識別子および前記他の通信装置を識別するためのＭＡＣ識別子を含む、ステップと、
前記通信装置が通信チャネルにおいて送信することができる最大送信電力のインジケーションを含む、無線ネットワークリンク情報を、アクセスポイントから、前記通信装置において受信するステップと、
要求メッセージを、前記通信装置から前記他の通信装置へ、前記最大送信電力よりも低い送信電力レベルを使用して送信するステップと、
報告メッセージを送信するために使用される送信電力のインジケーションを含む、前記報告メッセージを、前記他の通信装置から、前記通信装置において受信するステップと、
前記通信装置の前記送信電力を、前記送信電力の前記インジケーションに基づいて適合させるステップと
を含むことを特徴とする方法。
【請求項７】
前記要求メッセージは、前記他の通信装置における送信のための送信電力レベルまたは望ましい受信電力レベルのうちの少なくとも１つを備えることを特徴とする請求項１に記載の通信装置。
【請求項８】
前記要求メッセージは、ネットワーク接続性品質に関連付けられたトポロジマップを介して示された、前記通信装置と前記他の通信装置との間のリンク品質に基づいた送信電力レベルで送信されることを特徴とする請求項１に記載の通信装置。
【請求項９】
前記報告メッセージは、前記通信装置における送信のための望ましい受信電力レベルを備えることを特徴とする請求項１に記載の通信装置。
【請求項１０】
前記報告メッセージは、前記要求メッセージの送信電力レベルに基づいた電力レベルで受信されることを特徴とする請求項１に記載の通信装置。
【請求項１１】
前記要求メッセージは、前記他の通信装置における送信のための送信電力レベルまたは望ましい受信電力レベルのうちの少なくとも１つを備えることを特徴とする請求項２に記載の通信装置。
【請求項１２】
前記要求メッセージは、ネットワーク接続性品質に関連付けられたトポロジマップを介して示された、前記通信装置と前記他の通信装置との間のリンク品質に基づいた送信電力レベルで送信されることを特徴とする請求項２に記載の通信装置。
【請求項１３】
前記報告メッセージは、前記通信装置における送信のための望ましい受信電力レベルを備えることを特徴とする請求項２に記載の通信装置。
【請求項１４】
前記報告メッセージは、前記要求メッセージの送信電力レベルに基づいた電力レベルで受信されることを特徴とする請求項２に記載の通信装置。
【請求項１５】
前記要求メッセージは、前記他の通信装置における送信のための送信電力レベルまたは望ましい受信電力レベルのうちの少なくとも１つを備えることを特徴とする請求項３に記載の通信装置。
【請求項１６】
前記要求メッセージは、ネットワーク接続性品質に関連付けられたトポロジマップを介して示された、前記通信装置と前記他の通信装置との間のリンク品質に基づいた送信電力レベルで送信されることを特徴とする請求項３に記載の通信装置。
【請求項１７】
前記報告メッセージは、前記通信装置における送信のための望ましい受信電力レベルを備えることを特徴とする請求項３に記載の通信装置。
【請求項１８】
前記報告メッセージは、前記要求メッセージの送信電力レベルに基づいた電力レベルで受信されることを特徴とする請求項３に記載の通信装置。
【請求項１９】
前記要求メッセージは、前記他の通信装置における送信のための送信電力レベルまたは望ましい受信電力レベルのうちの少なくとも１つを備えることを特徴とする請求項４に記載の方法。
【請求項２０】
前記要求メッセージは、ネットワーク接続性品質に関連付けられたトポロジマップを介して示された、前記通信装置と前記他の通信装置との間のリンク品質に基づいた送信電力レベルで送信されることを特徴とする請求項４に記載の方法。
【請求項２１】
前記報告メッセージは、前記通信装置における送信のための望ましい受信電力レベルを備えることを特徴とする請求項４に記載の方法。
【請求項２２】
前記報告メッセージは、前記要求メッセージの送信電力レベルに基づいた電力レベルで受信されることを特徴とする請求項４に記載の方法。
【請求項２３】
前記要求メッセージは、前記他の通信装置における送信のための送信電力レベルまたは望ましい受信電力レベルのうちの少なくとも１つを備えることを特徴とする請求項５に記載の方法。
【請求項２４】
前記要求メッセージは、ネットワーク接続性品質に関連付けられたトポロジマップを介して示された、前記通信装置と前記他の通信装置との間のリンク品質に基づいた送信電力レベルで送信されることを特徴とする請求項５に記載の方法。
【請求項２５】
前記報告メッセージは、前記通信装置における送信のための望ましい受信電力レベルを備えることを特徴とする請求項５に記載の方法。
【請求項２６】
前記報告メッセージは、前記要求メッセージの送信電力レベルに基づいた電力レベルで受信されることを特徴とする請求項５に記載の方法。
【請求項２７】
前記要求メッセージは、前記他の通信装置における送信のための送信電力レベルまたは望ましい受信電力レベルのうちの少なくとも１つを備えることを特徴とする請求項６に記載の方法。
【請求項２８】
前記要求メッセージは、ネットワーク接続性品質に関連付けられたトポロジマップを介して示された、前記通信装置と前記他の通信装置との間のリンク品質に基づいた送信電力レベルで送信されることを特徴とする請求項６に記載の方法。
【請求項２９】
前記報告メッセージは、前記通信装置における送信のための望ましい受信電力レベルを備えることを特徴とする請求項６に記載の方法。
【請求項３０】
前記報告メッセージは、前記要求メッセージの送信電力レベルに基づいた電力レベルで受信されることを特徴とする請求項６に記載の方法。